(57)【要約】【課題】上部かご室と下部かご室との間等に保守点検用の安全な空間を確保することができる可変式ダブルデッキエレベータを提供する。【解決手段】ガイドレールに案内されて上下移動し得るようにされたエレベータのかご枠１、このかご枠に設けられたサブガイドレール２と係合し上記かご枠１内で上下移動可能に設けられた上部かご室３及び下部かご室４、上記上部かご室３と下部かご室４との間に支承され、上部かご室と下部かご室とを同時に上下動し得るようにされたリンク機構５及び上部かご室の上面に突設されたパイプ状の基体７Ａと、この基体７Ａに対向して上記かご枠１に設けられ、上部かご室３の上下動に応じて上記基体７Ａ内に嵌合し得るようにされた挿入体７Ｂと、所用時に上記基体７Ａの上端に装着され、上記挿入体７Ｂの下端を保持する蓋体７Ｃとを有する空間保持装置７を備えた構成とする。【選択図】        図１
2005015135.tif 000002
【特許請求の範囲】
【請求項１】
ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び上部かご室の上面に突設されたパイプ状の基体と、この基体に対向して上記かご枠の上端部に設けられ、上部かご室の上下動に応じて上記基体内に嵌合し得るようにされた挿入体と、所用時に上記基体の上端に装着され、上記挿入体の下端を保持する蓋体とを有する空間保持装置を備えた可変式ダブルデッキエレベータ。
【請求項２】
ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び上記かご枠の支持フレームの上面に突設されたパイプ状の基体と、この基体に対向して上部かご室の下面に設けられ、上部かご室の上下動に応じて上記基体内に嵌合し得るようにされた挿入体と、所用時に上記基体の上端に装着され、上記挿入体の下端を保持する蓋体とを有する空間保持装置を備えた可変式ダブルデッキエレベータ。
【請求項３】
ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び下部かご室の上面に突設されたパイプ状の基体と、この基体に対向して上記かご枠の支持フレームに設けられ、下部かご室の上下動に応じて上記基体内に嵌合し得るようにされた挿入体と、所用時に上記基体の上端に装着され、上記挿入体の下端を保持する蓋体とを有する空間保持装置を備えた可変式ダブルデッキエレベータ。
【請求項４】
ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び上記かご枠の下端部から下部かご室の下面に向けて突設されたパイプ状の基体と、この基体に対向して下部かご室の下面に設けられ、下部かご室の上下動に応じて上記基体内に嵌合し得るようにされた挿入体と、所用時に上記基体の上端に装着され、上記挿入体の下端を保持する蓋体とを有する空間保持装置を備えた可変式ダブルデッキエレベータ。
【請求項５】
上記基体の上端部近傍に設けられ、上記蓋体の上記基体への装着時に動作して上部かご室または下部かご室の駆動装置の電気回路を不動作にするスイッチ装置を備えたことを特徴とする請求項１〜請求項４のいずれか１項記載の可変式ダブルデッキエレベータ。
【発明の詳細な説明】
【０００１】
【発明の属する技術分野】
この発明は、かご枠内で上下二段に積み重ねられた上部かご室と下部かご室とが同時に移動できるようにした可変式ダブルデッキエレベータに関するものである。
【０００２】
【従来の技術】
従来のこの種エレベータは、ガイドレールによって案内され、巻上機によって上下移動し得るようにされると共に、ほぼ中央部に支持フレームを有するかご枠内に上下方向に設けられたサブガイドレールと、このサブガイドレールに係合し、かご枠内で上下移動可能に設けられた上部かご室及び下部かご室と、上記両かご室の間で上記支持フレームに支承され、上部かご室と下部かご室とを同時に上下動し得るようにされたリンク機構とを備えており、建物の階高（階床間の間隔）に応じてかご室の間隔を調整するようにしていた。（例えば特許文献１及び２参照）。
また、エレベータの保守点検作業時には、上部かご室と下部かご室との間に十分な間隔を形成し、安全を確保するために、両かご室間に設けられたリンク機構の２本のリンクアーム間にストッパアームを係止させて、リンク機構が拡縮できないようにしていた。（例えば特許文献３参照）。
【０００３】
【特許文献１】
特開平１０−２７９２３１号公報（段落０００９−００１６、図１−図４）
【特許文献２】
特開平１０−２７９２３２号公報（段落０００９−００１４、図１、図２）
【特許文献３】
特開２００２−３６２８５８号公報（段落００２２−００２５、図１）
【０００４】
【発明が解決しようとする課題】
従来の可変式ダブルデッキエレベータは以上のように構成されていたため、上部かご室と下部かご室との間隔が開いた状態における安全は確保できるが、上部かご室の上面と、かご枠上端部との間隔が開いた状態及びかご枠下端部と下部かご室の下面との間隔が開いた状態における安全は確保できないという問題点があった。また、リンク機構の拡縮を規制するストッパアームが大きく、重いため作業者の負担が大きくなるという問題点もあった。
【０００５】
この発明は、上記のような問題点を解消するためになされたもので、上部かご室の上面と、かご枠の上端部との間隔及び上部かご室と下部かご室との間隔並びに下部かご室の下面と、かご枠の下端部との間隔がそれぞれ開いた状態でストッパを作用させることができ、それぞれの間隔における安全を確保することができると共に、ストッパの重量を軽くして作業者の負担が軽くてすむようにした可変式ダブルデッキエレベータを提供することを目的とする。
【０００６】
【課題を解決するための手段】
この発明に係る可変式ダブルデッキエレベータは、ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び上部かご室の上面に突設されたパイプ状の基体と、この基体に対向して上記かご枠に設けられ、上部かご室の上下動に応じて上記基体内に嵌合し得るようにされた挿入体と、所用時に上記基体の上端に装着され、上記挿入体の下端を保持する蓋体とを有する空間保持装置を備えたものである。
また、上記基体の上端部近傍に設けられ、上記蓋体の上記基体への装着時に動作して上部かご室または下部かご室の駆動装置の電気回路を不動作にするスイッチ装置を備えたものである。
【０００７】
【発明の実施の形態】
実施の形態１．
以下、この発明の実施の形態１を図にもとづいて説明する。図１は、可変式ダブルデッキエレベータのかご枠の構成を示す概略図である。
この図において、かご枠１は、その上端が図示しない巻上機に巻装されたロープの一端に固定され、更に上下端部に設けられたローラガイドシュー１Ａ、１Ｂと図示しないガイドレールとの係合によって上下方向に案内移動されるようになっている。このかご枠１には上下方向に配設されたサブガイドレール２と、このサブガイドレール２に沿ってかご枠１内で上下移動し得るようにされた上部かご室３と下部かご室４の２個のかご室が設けられ、両かご室は、その中間部に設けられたリンク機構５によって連結され、かご室同士の間隔が調整できるようにされている。
【０００８】
即ち、リンク機構５は、かご枠１のほぼ中央部に設けられた支持フレーム１Ｃに支軸５Ａによって支承され、パンタグラフ形状に形成されたもので、かご枠１の上端部に設けられたボールねじ装置６を図示しない電動機等によって回動し、上部かご室３を上下に移動させることにより、リンク機構５が拡縮して下部かご室４を上部かご室３と逆方向に移動させ、両かご室の間隔を調整するものである。
また、エレベータの保守点検作業時における安全確保のための空間保持装置７が上部かご室３の上面とかご枠１の上端部との間及びかご枠１の支持フレーム１Ｃと上部かご室３の下面との間並びにかご枠１の下端部と下部かご室４の下面との間にそれぞれ設けられている。
【０００９】
空間保持装置７は、いずれの個所に設けられたものも同じ構成とされているため、上部かご室３の上面と、かご枠１の上端部との間に設けられた空間保持装置７について、その構成を詳細に説明する。
図２は、上部かご室３の上面部と、かご枠１の上端部を拡大して示す概略構成図である。この図において、図１と同一または相当部分にはそれぞれ同一符号を付して説明を省略する。
空間保持装置７は、上部かご室３の上面３Ａに適宜の間隔で２個設けられている。各空間保持装置７は、上部かご室３の上面３Ａに突設されたパイプ状の基体７Ａと、この基体７Ａに対向してかご枠１の上梁部１Ｄに設けられ、上部かご室３の上下動に応じて上記基体７Ａに嵌合し得るようにされた挿入体７Ｂとから構成されている。挿入体７Ｂは棒状体として形成してもよいし、パイプで形成してもよい。
【００１０】
図２は、挿入体７Ｂが基体７Ａから外れ、両者の間に鍔状の蓋体７Ｃが示されているが、これは上部かご室３の上面と、かご枠１の上梁部１Ｄとの間に保守点検作業用の安全な空間を確保する途中の状態を示すものであり、ボールねじ装置６を動作させて上部かご室３を下方に移動させ、挿入体７Ｂが基体７Ａから離れた状態で、作業者が持参した、あるいは基体７Ａの近傍に保管されていた鍔状の蓋体７Ｃの突出部７Ｄをパイプ状の基体７Ａに挿入する。
蓋体７Ｃの鍔部の径は基体７Ａの外径よりも大きくされているため、蓋体７Ｃは基体７Ａの上端に蓋をする形で装着される。突出部７Ｄは基体７Ａのパイプ孔に挿入され、蓋体７Ｃの落下防止部として機能する。この状態で再びボールねじ装置６を駆動して上部かご室３を上方に移動させると、挿入体７Ｂの下端が図２（ｂ）に示すように蓋体７Ｃの上面に当接して保持され、それ以上の移動は不能となるため、何らかの原因で上部かご室３を移動させる機構が動作しても上部かご室３の上面と、かご枠１の上梁部１Ｄとの間に安全な空間が確保される。
【００１１】
保守点検終了後は、ボールねじ装置６を駆動して上部かご室３を下方に移動させ、挿入体７Ｂが蓋体７Ｃから離隔した状態で蓋体７Ｃを基体７Ａから取り外し、適宜の個所に保管すると共に、ボールねじ装置６により上部かご室３を上方に移動させて挿入体７Ｂが基体７Ａに挿入状態となるようにする。
なお、図２において、８は基体７Ａの上端部外周面に設けられたリミットスイッチ等のスイッチ装置であるが、詳細については後述する。
このような構成とすることにより、上部かご室３の上面と、かご枠１の上梁部１Ｄとの間に保守点検用の空間を安全に確保することができる。
また、鍔状の蓋体７Ｃは軽いため、その取り付け、取り外しに際して作業者に大きな負担がかかることはない。
【００１２】
なお、図１では、上述した構成の空間保持装置７を上部かご室３の上面の他、支持フレーム１Ｃと上部かご室３の下面との間及び下部かご室４の下面とかご枠１の下端部との間にもそれぞれ設けているが、これら全てを設けておく必要はなく、必要な個所に設けるようにすればよい。
【００１３】
図３は、空間保持装置７をかご枠１の支持フレーム１Ｃと上部かご室３の下面との間に設け、上部かご室３と下部かご室４との間に保守点検用の空間を確保する実施例を示すものである。この図において、図１、図２と同一または相当部分にはそれぞれ同一符号を付して説明を省略する。図２と異なる点は、基体７Ａを支持フレーム１Ｃの上面から上部かご室３の下面に向けて突設し、挿入体７Ｂを上記基体７Ａに対向するように上部かご室３の下面３Ｂに設けた点である。
図３は、図２と同様に、挿入体７Ｂが基体７Ａから外れ、両者の間に鍔状の蓋体７Ｃを挿入しようとする状態を示している。
上部かご室３の上下移動は図２の場合と同様に、ボールねじ装置６を駆動することによって行なわれる。
このような構成とすることにより、上部かご室３と下部かご室４との中間部に保守点検用の安全な空間を確保することができる。
【００１４】
図４は、同じく上部かご室３と下部かご室４との間に安全な空間を確保するための別の実施例を示すものである。この図において、図３と同一または相当部分にはそれぞれ同一符号を付して説明を省略する。図３と異なる点は、基体７Ａを下部かご室４の上面４Ａから支持フレーム１Ｃに向けて突設し、挿入体７Ｂを上記基体７Ａに対向するように支持フレーム１Ｃに設けた点である。
【００１５】
図５は、下部かご室４の下面４Ｂと、かご枠１の下端部との間に安全な空間を確保するための実施例を示すものである。この図において、図１、図２と同一または相当部分にはそれぞれ同一符号を付して説明を省略する。
図２と異なる点は、基体７Ａをかご枠１の下梁部１Ｅから下部かご室４の下面４Ｂに向けて突設し、挿入体７Ｂを上記基体７Ａに対向するように下部かご室４の下面４Ｂに設けた点である。図５は、挿入体７Ｂがパイプ状の基体７Ａに嵌合された状態、即ち、エレベータの通常運転状態を示しているが、下部かご室４の下面と、かご枠１の下梁部１Ｅとの間に保守点検用の安全な空間を確保しようとする場合には、図２に示すボールねじ装置６を駆動して上部かご室３を下方へ移動させることにより、リンク機構５を拡がらせて下部かご室４を上方に移動させ、空間保持装置７の挿入体７Ｂを基体７Ａから外した状態で、図２等に示す鍔状の蓋体７Ｃを上述した他の実施例と同様に基体７Ａの上端に挿入する。
【００１６】
実施の形態２．
次に、この発明の実施の形態２を図にもとづいて説明する。この実施の形態は、実施の形態１における空間保持装置７において、基体７Ａの上端に装着する鍔状の蓋体７Ｃの脱着忘れを防止するために、図２〜図５に示すように、基体７Ａの上端部外面にリミットスイッチ等のスイッチ装置８を設け、鍔状の蓋体７Ｃが基体７Ａの上端に装着された際に、蓋体７Ｃの周縁の鍔状部とスイッチ装置８の動作部（図示せず）との接触によってスイッチ装置８が動作するように設定すると共に、このスイッチ装置８の動作によって上部かご室３または下部かご室４を移動させる機構の電気回路を不動作にし、上部かご室３及び下部かご室４が移動しないようにしたものである。
このような構成とすることにより、作業者の安全が更に強化されることになる。
なお、蓋体７Ｃの装着状態で上部かご室３を移動させる必要がある場合には、図示しない別のスイッチを用いて上記電気回路を動作状態にすることが可能である。
【００１７】
【発明の効果】
この発明に係る可変式ダブルデッキエレベータは、ガイドレールに案内されて上下移動し得るようにされ、ほぼ中央部に支持フレームを有するエレベータのかご枠、このかご枠に上下方向に設けられたサブガイドレール、このサブガイドレールと係合し上記かご枠内で上下移動可能に設けられた上部かご室及び下部かご室、上記上部かご室と下部かご室との間で上記支持フレームに支承され、上部かご室と下部かご室とを同時に上下動し得るようにされたリンク機構及び上部かご室の上面に突設されたパイプ状の基体と、この基体に対向して上記かご枠に設けられ、上部かご室の上下動に応じて上記基体内に嵌合し得るようにされた挿入体と、所用時に上記基体の上端に装着され、上記挿入体の下端を保持する蓋体とを有する空間保持装置を備えたものであるため、上部かご室と下部かご室との間、または上部かご室の上面と、かご枠の上端部との間あるいは下部かご室の下面と、かご枠の下端部との間に保守点検用の安全な空間を確保することができる。
また、ストッパとして機能する蓋体は軽いため、その取り付け、取り外しに際して作業者に大きな負担がかかることがない。
更に、上記基体の上端部近傍に上記蓋体の装着を検出して上部かご室または下部かご室の駆動装置の電気回路を不動作にするスイッチ装置を設けたため、作業者の安全を一層強化することができる。
【図面の簡単な説明】
【図１】この発明の実施の形態１を適用した可変式ダブルデッキエレベータのかご枠の構成を示す概略図である。
【図２】実施の形態１及び２を上部かご室の上面と、かご枠の上端部との間に適用した実施例を示す概略図である。
【図３】実施の形態１及び２を上部かご室と下部かご室との間に適用した実施例を示す概略図である。
【図４】実施の形態１及び２を上部かご室と下部かご室との間に適用した実施例を示す概略図である。
【図５】実施の形態１及び２を下部かご室の下面と、かご枠の下端部との間に適用した実施例を示す概略図である。
【符号の説明】
１  かご枠、      １Ｃ  支持フレーム、      ２  サブガイドレール、
３  上部かご室、      ４  下部かご室、      ５  リンク機構、
６  ボールねじ装置、      ７  空間保持装置、      ７Ａ  基体、
７Ｂ  挿入体、      ７Ｃ  蓋体、      ７Ｄ  突出部、      ８  スイッチ装置。
【図１】
2005015135.tif 000003
【図２】
2005015135.tif 000004
【図３】
2005015135.tif 000005
【図４】
2005015135.tif 000006
【図５】
2005015135.tif 000007